(57)【要約】【課題】  簡易な構成にて、ユーザがカートリッジ本体を画像形成装置本体から容易に取り出すことができる画像形成装置を提供する。【解決手段】  カートリッジ本体１Ａと、ガイド３と、ガイド３に形成されてカートリッジ本体１Ａが装置本体１００Ａに装着されたときにカートリッジ本体１Ａに形成されたフランジ部６と係合する装着部４と、カートリッジ本体１Ａに設けられてユーザの操作でカートリッジ本体１Ａに対する位置を移動可能な操作部材１１と、ガイド３からカートリッジ本体１Ａを持ち上げて装着部４及びフランジ部６の係合を解除する解除レール１９、解除レバー２１と、カートリッジ本体１Ａに設けられ、操作部材１１の動力を解除レール１９、解除レバー２１等に伝達する伝達手段と、を備える画像形成装置１００を構成した。【選択図】  図１
2013011638.tif 000002
【特許請求の範囲】
【請求項１】
記録媒体に画像を形成する像担持体を有して画像形成装置本体に着脱自在なカートリッジ本体と、前記カートリッジ本体の着脱をガイドするガイド部材と、を備える画像形成装置であって、
前記ガイド部材に形成され、前記カートリッジ本体が前記画像形成装置本体に装着されたときに、前記カートリッジ本体に形成された係合部と係合する被係合部と、
前記カートリッジ本体に設けられ、ユーザの操作によって前記カートリッジ本体に対する位置を移動可能な操作部材と、
前記ガイド部材から前記カートリッジ本体を持ち上げて、前記係合部及び前記被係合部を離間させて係合を解除する解除手段と、
前記カートリッジ本体に設けられ、前記操作部材の動力を前記解除手段に伝達する伝達手段と、を備え、
前記操作部材を操作して前記伝達手段を動作させると、前記解除手段が前記係合部及び前記被係合部の係合を解除して、前記カートリッジ本体が前記画像形成装置本体から取り出し可能となることを特徴とする画像形成装置。
【請求項２】
前記操作部材は、前記画像形成装置本体から前記カートリッジ本体を取り出すユーザの方に向かって引くことで動作することを特徴とする請求項１に記載の画像形成装置。
【請求項３】
前記解除手段の一部は、前記カートリッジ本体の長手方向の両端に１つずつ設けられることを特徴とする請求項１又は請求項２に記載の画像形成装置。
【請求項４】
前記操作部材は、前記カートリッジ本体から飛び出すように弾性部材で付勢されており、ユーザが前記操作部材を前記弾性部材の付勢力に抗するように引くと、前記解除手段が作動して前記被係合部及び前記係合部の係合が解除され、ユーザが前記操作部材を放すと、前記解除手段が作動しないで前記被係合部及び前記係合部が係合することを特徴とする請求項１乃至請求項３のいずれか１項に記載の画像形成装置。
【請求項５】
前記伝達手段は、前記操作部材の動力を伝達する段ギアを有し、
前記段ギアは、前記操作部材のギアと噛合う第１ギアと、前記第１ギアよりも径が小さい第２ギアと、を有し、
前記第２ギアの動力が前記解除手段へと伝達されることを特徴とする請求項１乃至請求項４のいずれか１項に記載の画像形成装置。
【請求項６】
記録媒体に画像を形成する像担持体を有して画像形成装置本体に着脱自在なカートリッジ本体を備えるカートリッジであって、
前記カートリッジ本体に設けられ、ユーザの操作によって前記カートリッジ本体に対する位置を移動可能な操作部材と、
前記画像形成装置本体に設けられ、前記カートリッジ本体が前記画像形成装置本体に装着されたときに、前記画像形成装置本体に設けられた被係合部と係合する係合部と、
前記被係合部、及び、前記係合部を離間させて係合を解除する解除手段と、
前記カートリッジ本体に設けられ、前記操作部材の動力を前記解除手段に伝達する伝達手段と、を備え、
前記操作部材を操作して前記伝達手段が動作すると、前記解除手段が前記係合部及び前記被係合部の係合を解除して、前記カートリッジ本体が前記画像形成装置本体から取り出し可能であることを特徴とするカートリッジ。
【請求項７】
前記操作部材は、前記画像形成装置本体から前記カートリッジ本体を取り出すユーザの方に向かって引くことで動作することを特徴とする請求項６に記載のカートリッジ。
【請求項８】
前記解除手段は、前記カートリッジ本体の長手方向の両端に１つずつ設けられることを特徴とする請求項６又は請求項７に記載のカートリッジ。
【請求項９】
前記操作部材は、前記カートリッジ本体から飛び出すように弾性部材で付勢されており、ユーザが前記操作部材を前記弾性部材の付勢力に抗するように引くと、前記解除手段が作動して前記被係合部及び前記係合部の係合が解除され、ユーザが前記操作部材を放すと、前記解除手段が作動しないで前記被係合部及び前記係合部が係合することを特徴とする請求項６乃至請求項８のいずれか１項に記載のカートリッジ。
【請求項１０】
前記伝達手段は、前記操作部材の動力を伝達する段ギアを有し、
前記段ギアは、前記操作部材のギアと噛合う第１ギアと、前記第１ギアよりも径が小さい第２ギアと、を有し、
前記第２ギアの動力が前記解除手段へと伝達されることを特徴とする請求項６乃至請求項９のいずれか１項に記載のカートリッジ。
【発明の詳細な説明】
【技術分野】
【０００１】
本発明は、プリンタ、複写機、ファクシミリ及びこれらの複合機器等の画像形成装置、並びに、画像形成装置本体に着脱されるカートリッジに関する。
【背景技術】
【０００２】
従来、画像形成装置本体の内部に配置される画像形成ユニットは、長期間で使用されると保守作業が必要となる。そのために、ユーザがその作業を容易に行えるようにするために、画像形成ユニットをカートリッジ化する方式が採用されている。この場合に、画像形成カートリッジを確実に装置本体に引き込んで内部で確実に位置決めするため、又は、画像形成カートリッジの回転方向を確実に位置決めする必要がある。このために、画像形成カートリッジの着脱軌跡を直線とはせずに、画像形成カートリッジを装着時に溝形状に落とし込ませる構成のものがある。このような構成に関する発明として、特許文献１に記載の発明が開示されている。
【０００３】
特許文献１には、装置本体の内部の画像形成カートリッジを取り出すための開閉ドアの開き動作に連動して開閉ドアを開くと、画像形成カートリッジが飛び出し、画像形成カートリッジの着脱性が向上する構成が記載されている。
【先行技術文献】
【特許文献】
【０００４】
【特許文献１】特開平１１−１７４９３３号公報
【発明の概要】
【発明が解決しようとする課題】
【０００５】
しかしながら、特許文献１に記載の発明では、開閉ドアに連動させて画像形成カートリッジを持ち上げる分、開閉ドアの操作に必要な力が大きくなる。また、画像形成装置本体の構成が複雑になる可能性や、開閉ドアの開閉角度を画像形成カートリッジを飛び出せる分だけ大きくする必要性から画像形成装置の設置に必要なスペースが大きくなる可能性がある。
【０００６】
本発明は、上記実情に鑑み、簡易な構成にてユーザがカートリッジ本体を画像形成装置本体から容易に取り出すことができる画像形成装置を提供することを目的とする。
【課題を解決するための手段】
【０００７】
上記目的を達成するため、本発明の画像形成装置は、記録媒体に画像を形成する像担持体を有して画像形成装置本体に着脱自在なカートリッジ本体と、前記カートリッジ本体の着脱をガイドするガイド部材と、を備える画像形成装置であって、前記ガイド部材に形成され、前記カートリッジ本体が前記画像形成装置本体に装着されたときに、前記カートリッジ本体に形成された係合部と係合する被係合部と、前記カートリッジ本体に設けられ、ユーザの操作によって前記カートリッジ本体に対する位置を移動可能な操作部材と、前記ガイド部材から前記カートリッジ本体を持ち上げて、前記係合部及び前記被係合部を離間させて係合を解除する解除手段と、前記カートリッジ本体に設けられ、前記操作部材の動力を前記解除手段に伝達する伝達手段と、を備え、前記操作部材を操作して前記伝達手段を動作させると、前記解除手段が前記係合部及び前記被係合部の係合を解除して、前記カートリッジ本体が前記画像形成装置本体から取り出し可能となることを特徴とする。
【０００８】
また、本発明のカートリッジは、記録媒体に画像を形成する像担持体を有して画像形成装置本体に着脱自在なカートリッジ本体を備えるカートリッジであって、前記カートリッジ本体に設けられ、ユーザの操作によって前記カートリッジ本体に対する位置を移動可能な操作部材と、前記画像形成装置本体に設けられ、前記カートリッジ本体が前記画像形成装置本体に装着されたときに、前記画像形成装置本体に設けられた被係合部と係合する係合部と、前記被係合部、及び、前記係合部を離間させて係合を解除する解除手段と、前記カートリッジ本体に設けられ、前記操作部材の動力を前記解除手段に伝達する伝達手段と、を備え、前記操作部材を操作して前記伝達手段が動作すると、前記解除手段が前記係合部及び前記被係合部の係合を解除して、前記カートリッジ本体が前記画像形成装置本体から取り出し可能であることを特徴とする。
【発明の効果】
【０００９】
本発明によれば、簡易な構成にて、ユーザがカートリッジ本体を画像形成装置本体から容易に取り出すことができる画像形成装置を提供できる。
【図面の簡単な説明】
【００１０】
【図１】本発明の実施例１に係る画像形成装置の構成の概略を示す断面図である。
【図２】カートリッジの構成を示す斜視図である。
【図３】着脱機構の構成を示す側面図である。
【図４】実施例２に係る着脱機構の構成を示す斜視図である。
【図５】着脱機構の構成を示す側面図である。
【発明を実施するための形態】
【００１１】
以下、図面を参照して、この発明を実施するための形態を実施例に基づいて例示的に詳しく説明する。ただし、この実施例に記載されている構成部品の寸法、材質、形状、その相対位置等は、発明が適用される装置の構成や各種条件により適宜変更されるから、特に特定的な記載が無い限りは、発明の範囲をそれらのみに限定する趣旨のものではない。
【実施例１】
【００１２】
図１（ａ）は、本発明の実施例１に係る画像形成装置１００の構成の概略を示す断面図である。画像形成装置１００は、電子写真画像形成プロセスを利用した画像形成装置である。図１（ａ）に示されるように、画像形成装置１００は画像形成装置本体（以下、単に『装置本体』という）１００Ａを有する。この画像形成装置１００の内部には、画像を形成する画像形成部が設けられる。画像形成部は、『像担持体』である感光体ドラム、『転写装置』である転写ローラ等を含む。少なくとも感光体ドラムについては、画像形成カートリッジ（以下、「カートリッジ１」という）に含まれ、カートリッジ１として装置本体１００Ａに対して着脱が可能な構成となっている。
【００１３】
画像形成装置１００は、記録媒体に画像を形成する感光体ドラムを有して装置本体１００Ａに着脱自在なカートリッジ本体１Ａと、傾斜を有してカートリッジ本体１Ａの着脱をガイドする『ガイド部材』であるガイド３と、を備える。ガイド３には、『被係合部』である『凹部』としての装着部４が形成される。この装着部４は、カートリッジ本体１Ａが装置本体１００Ａに装着されたときに、カートリッジ本体１Ａに形成された後述する『係合部』である『凸部』としてのフランジ部６と係合する。なお、凹凸は逆であっても良く、ガイドに凸部が、カートリッジ本体１Ａに凹部が設けられる構成であっても、本発明は機能する。
【００１４】
フランジ部６は、カートリッジ本体１Ａから長手方向に突出する。装置本体１００Ａはカートリッジ本体１Ａをガイド３の方に向かって付勢する『付勢部材』であるバネ５を有する。カートリッジ本体１Ａがガイド３から持ち上げられるときに、バネ５がフランジ部６をガイド３に押し返す。
【００１５】
図１（ｂ）は、カートリッジ１を装置本体１００Ａから取り出すときの開閉ドア２及びカートリッジ１の動作を示す断面図である。図１（ｂ）に示されるように、ユーザは、開閉ドア２を開け、カートリッジ１の把持部９０（図２参照）（操作部材１１を含めたカートリッジ本体１Ａの上部）を把持してカートリッジ１をガイド３に沿って取り出すこととなる。
【００１６】
画像形成装置１００は開閉ドア２を有し、ユーザは装置本体１００Ａにカートリッジ１を装着する際には開閉ドア２を開けて装着する。カートリッジ１は画像形成装置１００に取り付けられたカートリッジガイド（以下、「ガイド３」という）に保持されながらガイドされる。また、カートリッジ１は、一段落ち込んだ装着部４と、画像形成装置１００に保持されたカートリッジ押さえバネ（以下、「バネ５」という）の付勢力と、によってしっかりと引き込み位置決めするような構成である。
【００１７】
図２は、カートリッジ１の構成を示す斜視図である。図３（ａ）は、着脱機構７０の構成を示す側面図である。これらの図２及び図３（ａ）を参照しつつカートリッジ１及び装置本体１００Ａの構成の関係を説明していく。カートリッジ１は、カートリッジ本体１Ａの内部に、図示しない感光体ドラム、帯電装置、露光装置、現像装置等を有している。図２に示されるように、カートリッジ１には、ユーザが把持するための把持部９０が設けられている。この把持部９０には、操作部材１１が操作自在に挿入されている。
【００１８】
操作部材１１は、カートリッジ本体１Ａに設けられ、ユーザの操作によってカートリッジ本体１Ａに対する位置を移動可能な部材である。操作部材１１は、装置本体１００Ａからカートリッジ本体１Ａを取り出すユーザの方に向かって引くことで動作する。操作部材１１は、カートリッジ本体１Ａから飛び出すように『弾性部材』であるバネ１２で付勢されている。そして、ユーザが操作部材１１をバネ１２の付勢力に抗するように引くと、解除レール１９、解除レバー２１等が作動して装着部４及びフランジ部６の係合が解除される。また、ユーザが操作部材１１を放すと、解除レール１９、解除レバー２１等が作動しないで装着部４及びフランジ部６が係合する。
【００１９】
詳しくは、図３（ａ）に示されるように、操作部材１１は、把持部９０内で、ユーザ操作方向に移動可能に取付けられ、バネ１２によってユーザ操作方向の“−”側に付勢されている。この操作部材１１の一部には、ラック部１１ａが施されている。このラック部１１ａの下方には、段ギア１３が配置されている。
【００２０】
『伝達手段』は、操作部材１１の動力を伝達する段ギア１３を有する。段ギア１３は、操作部材１１のギアと噛合う『第１ギア』である大ギア１３ａと、大ギア１３ａよりも径が小さい『第２ギア』である小ギア１３ｂと、を有し、軸１４を中心に回動可能にカートリッジ１に取付けられている。大ギア１３ａと小ギア１３ｂとは一体となって形成されている。大ギア１３ａは、ラック部１１ａと噛合う。この段ギア１３の側方には、中継ギア１５が配置されている。なお、小ギア１３ｂの動力が、後述の解除レール１９、解除レバー２１等へと伝達されていくことになる。
【００２１】
中継ギア１５は、軸１６を中心に回動可能にカートリッジ１に取付けられている。中継ギア１５は、小ギア１３ｂと噛合う。中継ギア１７は、軸１８を中心に回動可能にカートリッジ１に取付けられている。中継ギア１７は、中継ギア１５と噛合う。前述してきたように、カートリッジ本体１Ａに設けられて操作部材１１の動力を解除レール１９、解除レバー２１等に伝達するラック部１１ａ、段ギア１３、中継ギア１５、中継ギア１７等によって、『伝達手段』が構成されることとなる。なお、操作部材１１の一部にラック部１１ａが設けられることから、操作部材１１は、『伝達手段』が動力を伝達する動力の一部の機能を保有しているといえる。
【００２２】
カートリッジ１および装置本体１００Ａには、解除機構３２が設けられている。解除機構３２は、カートリッジ１の落ち込みを解除する『解除手段』として、解除レール１９、解除レバー２１を有する。『直線移動部材』である解除レール１９は、カートリッジ本体１Ａに設けられる。解除レール１９は、ガイド３に沿って直線的に移動可能な部材である。『回転部材』である解除レバー２１は、装置本体１００Ａに設けられる。解除レバー２１は、解除レール１９の動作を受けて軸２２を中心に回転可能で、カートリッジ本体１Ａのフランジ部６に当接することでカートリッジ本体１Ａを上昇させる。また、解除レバー２１がカートリッジ本体１Ａのフランジ部６から離間することでカートリッジ本体１Ａは装着部４に下降する。この解除機構３２によって、ガイド３からカートリッジ本体１Ａを持ち上げて、装着部４及びフランジ部６の係合を解除する。
【００２３】
解除レール１９は、２つの軸２０（図３（ａ）参照）によって、カートリッジ１に対して、カートリッジ着脱方向に移動可能に取り付けられている。なお、解除レール１９の一部にはラック部１９ａが施されており、このラック部１９ａは中継ギア１７に噛合う。
【００２４】
解除レバー２１は、軸２２によって回動可能に装置本体１００Ａに対して取付けられており、装置本体１００Ａに取付けられたバネ２３によって時計回りに回転して、装置本体１００Ａに設置された突当部材２４に突き当たっている。なお、解除レール１９、解除レバー２１等は、カートリッジ本体１Ａの長手方向の両端に１つずつ設けられる。したがって、図２及び図３（ａ）では、カートリッジ１の長手方向の一端の構成に関して説明したが、この構成はカートリッジ１の長手方向の他端の構成に関しても同様であるので、説明は省略する。次に、カートリッジ１が装置本体１００Ａから着脱する動作に関して説明する。
【００２５】
なお、このことで、『解除手段』の一部は、カートリッジ本体１Ａに設けられ、『解除手段』の一部は、装置本体１００Ａに設けられていることにもなる。また、『解除手段』には、ラック部１９ａ、軸２０、突当部材２４、軸２２、バネ２３等を含んでも良い。
【００２６】
図３（ｂ）は、カートリッジ１を装置本体１００Ａから取り外す動作を示す側面図である。図３（ａ）の状態から図３（ｂ）の状態へ移行するように、ユーザが操作部材１１をユーザ操作方向の“＋”側に押し込む。そうすると、操作部材１１のラック部１１ａと噛合う段ギア１３の大ギア１３ａ及び小ギア１３ｂが時計回りに回転する。そして、段ギア１３の小ギア１３ｂと噛合う中継ギア１５が反時計回りに回転し、中継ギア１５と噛合う中継ギア１７が時計回りに回転する。
【００２７】
すると、中継ギア１７と噛合うラック部１９ａによって、解除レール１９は、カートリッジ着脱方向“−”側に移動する。解除レール１９に押された解除レバー２１が反時計周りに回転して画像形成装置１００のフランジ部６に当接し、バネ５の付勢力に抗してカートリッジ１をカートリッジ着脱方向に対して垂直方向に持ち上げ、装着部４から離間した状態になる。
【００２８】
一方、前述の図３（ａ）は、ユーザが操作部材１１を操作していない図（例えばカートリッジ１を装着した状態）でもある。操作部材１１からユーザが手を放すとバネ１２の付勢力によって操作部材１１がユーザ操作方向“−”側に移動する。すると、操作部材１１のラック部１１ａと噛合っている段ギア１３の大ギア１３ａ及び小ギア１３ｂが反時計周りに回転し、段ギア１３の小ギア１３ｂと噛合う中継ギア１５が時計周りに回転し、中継ギア１５と噛合う中継ギア１７が反時計周りに回転する。
【００２９】
すると、中継ギア１７と噛合うラック部１９ａによって、解除レール１９は、カートリッジ着脱方向“＋”側に移動する。解除レール１９から離間した解除レバー２１は、バネ２３の付勢力によって時計周りに回転して突当部材２４に突き当たり、フランジ部６から離間した状態になる。
【００３０】
操作部材１１を操作してラック部１１ａ、段ギア１３、中継ギア１５、中継ギア１７等を動作させると、解除レール１９、解除レバー２１等がカートリッジ本体１Ａを持ち上げて、ユーザがカートリッジ本体１Ａを装置本体１００Ａから取り出し可能となる。
【実施例２】
【００３１】
図４は、実施例２に係る着脱機構８０の構成を示す斜視図である。図５（ａ）は、着脱機構８０の構成を示す側面図である。実施例２の着脱機構８０の構成のうち実施例１の着脱機構７０と同一の構成及び効果に関しては、同一の符号を用いて説明を適宜省略する。実施例２においても、実施例１と同様の画像形成装置に適用することができるため、画像形成装置の説明は省略する。実施例２の着脱機構８０が実施例１の着脱機構７０と異なる点は、以下の点である。
【００３２】
すなわち、着脱機構８０では、『解除手段』の全てが、カートリッジ本体１０１Ａに設けられる。『解除手段』の一部である解除レール５０は、ガイド３に沿って直線的に移動可能な部材である。また、『解除手段』の一部である解除レバー５１は、解除レール５０の動作を受けて軸５２を中心に回転可能である。また、解除レバー５１は、カートリッジ本体１０１Ａの装着部４に当接することでカートリッジ本体１０１Ａを上昇させる部材である。解除レバー５１が装着部４から離間するとカートリッジ本体１０１Ａは装着部４に下降する。
【００３３】
以下、これらの図４及び図５（ａ）を参照しつつカートリッジ１０１及び装置本体１００Ａの構成の関係を説明していく。図４及び図５（ａ）に示されるように、カートリッジ１０１には、解除機構３３が設けられている。解除機構３３は、カートリッジ１０１の落ち込みを解除する解除手段として、解除レール５０及び解除レバー５１を有する。解除レール５０は、２つの軸２０（図５（ａ）参照）によって、カートリッジ１０１にカートリッジ着脱方向に移動可能に取り付けられている。なお、解除レール５０の一部にはラック部５０ａが施されており、このラック部５０ａは中継ギア１７に噛合う。また、解除レール５０は、解除レバー５１が軸５２を中心に回転するように解除レバー５１を押圧可能及び押圧解除可能な側面視Ｌ字状の押圧部５０ｂを有する。
【００３４】
解除レバー５１は、軸５２によって回動可能にカートリッジ１０１に取り付けられている。解除レバー５１は、図５（ａ）に示されるように、カートリッジ１０１に保持されたバネ５３によって時計周りに回転して、カートリッジ１０１のフランジ部６に設置された突当部材５４に突き当たっている。なお、図４及び図５（ａ）では、カートリッジ１０１の長手方向の一端の構成に関して説明したが、この構成はカートリッジ１０１の長手方向の他端の構成に関しても同様であるので、説明は省略する。次に、カートリッジ１０１が装置本体１００Ａから着脱する動作に関して説明する。
【００３５】
図５（ｂ）は、カートリッジ１０１を装置本体１００Ａから取り外す動作を示す側面図である。図５（ａ）の状態から図５（ｂ）の状態へ移行するように、ユーザが操作部材１１をユーザ操作方向“＋”側に押し込む。そうすると、段ギア１３、中継ギア１５、中継ギア１７を介して、解除レール５０がカートリッジ着脱方向“−”側に移動する。解除レール５０に押された解除レバー５１が反時計周りに回転して画像形成装置１００の装着部４に当接し、バネ５の付勢力に抗してカートリッジ１０１をカートリッジ着脱方向に対して垂直方向に持ち上げ、装着部４から離間した状態になる。
【００３６】
一方、前述の図５（ａ）は、ユーザが操作部材１１を操作していない図（例えばカートリッジ１０１を装着した状態）でもある。操作部材１１からユーザが手を放すとバネ１２の付勢力によって操作部材１１がユーザ操作方向“−”側に移動する。すると、解除レール５０がカートリッジ着脱方向“＋”側に移動する。そして、解除レール５０から離間した解除レバー５１は、バネ５３の付勢力によって時計周りに回転して突当部材５４に突き当たり、装着部４から離間した状態になる。
【００３７】
実施例１又は２の構成によれば、開閉ドアの開き動作に連動してカートリッジ本体が飛び出す構成に比べると、ユーザがカートリッジ本体１Ａ、１０１Ａを装置本体１００Ａから容易に取り出すことができる。このように、簡易な構成にて、ユーザがカートリッジ本体を画像形成装置本体から容易に取り出すことができる画像形成装置を提供できる。
【００３８】
さらに、実施例１又は２の構成によれば、操作部材１１の動作方向がユーザの方に向けられていることにより、ユーザビリティが向上する。
【００３９】
実施例１又は２の構成によれば、ユーザが操作部材１１を作動しない場合には、解除レール１９（５０）及び解除レバー２１（５１）が作動しないので、カートリッジ１、１０１が装置本体１００Ａに装着されるときの邪魔にならないようにすることができる。
【００４０】
実施例１又は２の構成によれば、段ギア１３で減速されて動力が伝達されることから、ユーザは、より小さい力でカートリッジ１、１０１の落ち込みを解除することができる。
【００４１】
また、実施例２の構成によれば、カートリッジ本体に本発明の構成が盛り込まれることで、装置本体１００Ａとカートリッジ本体１０１Ａとの間で着脱機構の部品公差が縮小する。その結果、品質の向上、余分な部品精度が不要となり、コストアップが抑制される。
【符号の説明】
【００４２】
１        カートリッジ
１Ａ      カートリッジ本体
３        ガイド
４        装着部（被係合部）
６        フランジ部（係合部）
１１      操作部材
１９      解除レール（解除手段）
２１      解除レバー（解除手段）
１１ａ    ラック部（伝達手段）
１３      段ギア（伝達手段）
１５      中継ギア（伝達手段）
１７      中継ギア（伝達手段）
１００    画像形成装置
１００Ａ  装置本体（画像形成装置本体）
【図１】
2013011638.tif 000003
【図２】
2013011638.tif 000004
【図３】
2013011638.tif 000005
【図４】
2013011638.tif 000006
【図５】
2013011638.tif 000007